(57)【要約】【課題】  ユーザが求めているヘルプ情報を精度良く判断して表示する。【解決手段】  各機能と各ヘルプ情報との関連度を示す値がそれぞれ記憶されたヘルプ項目テーブルを設ける。制御部は、ヘルプボタンが押圧操作されると、上記ヘルプ項目テーブルから、現在選択されている機能に対応する上記各ヘルプ情報の関連度を示す値を読み出すと共に、ユーザが過去に選択した機能に対応する上記各ヘルプ情報の関連度を示す値をそれぞれ読み出す。そして、現在選択されている機能に対応する各ヘルプ情報の関連度を示す値と、ユーザが過去に選択した機能に対応する各ヘルプ情報の関連度を示す値とを、それぞれ各ヘルプ情報毎に加算し、この加算結果に基づいて、表示すべきヘルプ情報を決定して表示する。現在及び過去の操作に基づく総合的な判断により、表示するヘルプ情報を精度良く判断することができる。【選択図】  図５
2005165944.tif 000002
【特許請求の範囲】
【請求項１】
複数のヘルプ情報が記憶されたヘルプ情報記憶手段と、
複数の機能の中からユーザが過去に選択した機能を示す情報を記憶する選択機能記憶手段と、
上記各機能と上記各ヘルプ情報との関連度を示す値がそれぞれ記憶された関連度記憶手段と、
上記ヘルプ情報を表示手段に表示する際に、現在選択されている機能に対応する上記各ヘルプ情報の関連度を示す値を上記関連度記憶手段から読み出す第１の読み出し手段と、
上記ヘルプ情報を表示手段に表示する際に、上記選択機能記憶手段に記憶されている上記ユーザが過去に選択した機能に対応する上記各ヘルプ情報の関連度を示す値を上記関連度記憶手段からそれぞれ読み出す第２の読み出し手段と、
上記第１の読み出し手段で読み出された上記現在選択されている機能に対応する各ヘルプ情報の関連度を示す値と、上記第２の読み出し手段で読み出された上記ユーザが過去に選択した機能に対応する各ヘルプ情報の関連度を示す値とを、それぞれ各ヘルプ情報毎に加算した値を算出する加算手段と、
上記加算手段で算出された値に基づいて、表示すべきヘルプ情報を決定する決定手段と、
上記決定手段で決定されたヘルプ情報を上記ヘルプ情報記憶手段から読み出して上記表示手段に表示制御する制御手段と
を有するヘルプ情報表示装置。
【請求項２】
上記第１の読み出し手段で読み出された上記現在選択されている機能に対応する各ヘルプ情報の関連度を示す値、或いは、上記第１及び第２の読み出し手段で読み出された上記現在選択されている機能に対応する各ヘルプ情報の関連度を示す値、及びユーザが過去に選択した機能に対応する各ヘルプ情報の関連度を示す値に対して所定の重み付けを行う重み付け手段を有し、
上記加算手段は、上記重み付け手段により重み付けされた各ヘルプ情報の関連度を示す値を上記加算処理することで、上記各ヘルプ情報毎に加算した値を算出する
ことを特徴とする上記請求項１に記載のヘルプ情報表示装置。
【請求項３】
上記選択機能記憶手段は、ユーザが過去に選択した機能を示す情報を履歴と共に記憶し、
上記重み付け手段は、上記現在選択されている機能に対応する各ヘルプ情報の関連度を示す値に対して最も大きな値で重み付けすると共に、上記ユーザが過去に選択した機能に対応する各ヘルプ情報の関連度を示す値に対しては、上記履歴が新しい順に大きな値で重み付けする
ことを特徴とする請求項２に記載のヘルプ情報表示装置。
【請求項４】
上記ヘルプ情報記憶手段には、上記各機能毎に、それぞれユーザの機器操作の習熟度に応じた異なる内容のヘルプ情報が記憶されており、
上記各機能毎のユーザの操作履歴に基づいて、該各機能毎のユーザの機器操作の習熟度をそれぞれ判定する習熟度判定手段を有し、
上記決定手段は、上記加算手段で算出された値に基づいて決定したヘルプ情報のうち、上記習熟度判定手段の判定結果に応じた内容のヘルプ情報を、上記表示すべきヘルプ情報として決定する
ことを特徴とする請求項１に記載のヘルプ情報表示装置。
【請求項５】
上記制御手段は、上記ヘルプ情報を表示してから所定時間、ユーザから所定の入力がない場合は、上記表示手段に表示したヘルプ情報よりも習熟度が低い内容のヘルプ情報を表示制御する
ことを特徴とする請求項４に記載のヘルプ情報表示装置。
【請求項６】
上記決定手段は、上記加算手段で算出された上記加算した値が最も大きな値となるヘルプ情報を、上記表示すべきヘルプ情報として決定する
ことを特徴とする請求項１に記載のヘルプ情報表示装置。
【請求項７】
上記制御手段は、上記加算手段で算出された値が最も大きな値を有するヘルプ情報から順に複数検出し、この複数検出したヘルプ情報のうち、いずれかをユーザが選択するための選択画面を上記表示手段に表示制御し、
上記決定手段は、上記選択画面に基づいてユーザが選択したヘルプ情報を、上記表示すべきヘルプ情報として決定する
ことを特徴とする請求項１に記載のヘルプ情報表示装置。
【発明の詳細な説明】
【技術分野】
【０００１】
本発明は、例えば携帯電話機，ＰＨＳ電話機（PHS：Personal Handyphone System），ＰＤＡ装置（PDA：Personal Digital Assistant）、パーソナルコンピュータ装置等の端末装置に設けて好適なヘルプ情報表示装置に関する。
【背景技術】
【０００２】
以下の特許文献１に、利用者のスキルを評価して、機器の操作習得に必要なヘルプ情報を表示するヘルプ画面表示方法及びヘルプ画面表示装置が開示されている。
【０００３】
【特許文献１】特開平８−１６６９４５公報（第４頁〜第６ページ：図７）
【発明の開示】
【発明が解決しようとする課題】
【０００４】
しかし、全ての操作項目に対して均等に習熟度が向上するユーザは稀であり、大概のユーザは、習熟度の高い操作項目と習熟度の低い操作項目とを併有することとなる。従来のヘルプ画面表示装置は、このようなユーザに対しても操作履歴等に基づいて、ユーザの習熟度を画一的に判断するようになっていたため、例えばそのユーザの習熟度を中級と判断してしまうと、そのユーザが、習熟度の低い項目に対してヘルプ情報の表示を求めているにもかかわらず、中級のヘルプ情報を表示することとなる。そして、この場合、ユーザは、その項目の、より上位のヘルプ情報（低級のヘルプ情報）を表示させるべく、最初からヘルプ情報の表示操作をやり直す必要があり、ユーザに対してかえって面倒な操作を要求する結果となっていた。
【０００５】
本発明は、上述の課題に鑑みてなされたものであり、習熟度に応じて階層的に記憶されたヘルプ情報のうち、ユーザの習熟度に対応する階層のヘルプ情報を正確に判定して表示することができことができるようなヘルプ情報表示装置の提供を目的とする。
【課題を解決するための手段】
【０００６】
本発明は、上述の課題を解決するための手段として、複数のヘルプ情報が記憶されたヘルプ情報記憶手段と、複数の機能の中からユーザが過去に選択した機能を示す情報を記憶する選択機能記憶手段と、上記各機能と上記各ヘルプ情報との関連度を示す値がそれぞれ記憶された関連度記憶手段に加え、第１，第２の読み出し手段、加算手段、決定手段及び制御手段を有する。
【０００７】
ヘルプ情報を表示手段に表示する際、第１の読み出し手段は、上記現在選択されている機能に対応する上記各ヘルプ情報の関連度を示す値を上記関連度記憶手段から読み出す。また、ヘルプ情報を表示手段に表示する際、第２の読み出し手段は、上記選択機能記憶手段に記憶されている上記ユーザが過去に選択した機能に対応する上記各ヘルプ情報の関連度を示す値を上記関連度記憶手段からそれぞれ読み出す。
【０００８】
加算手段は、上記第１の読み出し手段で読み出された上記現在選択されている機能に対応する各ヘルプ情報の関連度を示す値と、上記第２の読み出し手段で読み出された上記ユーザが過去に選択した機能に対応する各ヘルプ情報の関連度を示す値とを、それぞれ各ヘルプ情報毎に加算した値を算出する。
【０００９】
そして、決定手段により、上記加算手段で算出された値に基づいて、表示すべきヘルプ情報が決定されると、制御手段が、この決定手段で決定されたヘルプ情報を上記ヘルプ情報記憶手段から読み出して上記表示手段に表示制御する。
【００１０】
すなわち、「現在選択されている機能に対応する各ヘルプ情報の関連度を示す値」と、「ユーザが過去に選択した機能に対応する各ヘルプ情報の関連度を示す値」とを加算処理し、この加算結果に基づいて、真に表示すべきヘルプ情報を判断している。
【００１１】
これにより、現在選択されている機能、及び過去に選択された機能に基づいて、総合的に表示すべきヘルプ情報を判断することができる。このため、精度良く、ユーザが求めているヘルプ情報を表示することができる。
【発明の効果】
【００１２】
本発明は、ユーザが求めているヘルプ情報を、精度良く判定して表示することができる。
【００１３】
また、ヘルプ情報の表示を行ってから所定時間、ユーザから所定の入力操作が無い場合には、よりわかり易い内容のヘルプ情報を表示し直すことができる。このため、ユーザの習熟度に合った、より分かり易いヘルプ情報を提供することができる。
【発明を実施するための最良の形態】
【００１４】
本発明は、一例として図１に示す携帯電話機に適用することができる。
【００１５】
［携帯電話機の構成］
この本発明の実施の形態となる携帯電話機は、例えばＷ−ＣＤＭＡ方式（Wideband-Code Division Multiple Access）に基づいて通信を行うようになっており、受信時には、基地局から送信された無線周波信号をアンテナ１で受信する。このアンテナ１で受信された無線周波数信号は、アンテナ共用器２（ＤＵＰ）を介して受信回路３（ＲＸ）に供給される。
【００１６】
受信回路３は、周波数シンセサイザ４（ＳＹＮ）から供給された受信局部発振信号と、アンテナ１で受信された無線周波信号をミキシング処理することで、無線周波信号を中間周波信号に周波数変換してＣＤＭＡ信号処理部６に供給する。なお、周波数シンセサイザ４から出力される上記受信局部発振信号の周波数は、制御部５からの制御信号ＳＹＣによって制御される。
【００１７】
ＣＤＭＡ信号処理部６は、上記受信中間周波信号に直交復調処理を施すと共に、受信チャネルに割り当てられた拡散符号（ＰＮ符号）を用いて逆拡散処理を施すことで、該受信中間周波信号を、データレートに応じた所定のフォーマットの受信データに変換して符号処理部７に供給する。なお、ＣＤＭＡ信号処理部６は、上記受信データのデータレートを示す情報を、受信データレートとして制御部５に供給する。
【００１８】
符号処理部７は、ＣＤＭＡ信号処理部６から供給された受信データに対して、制御部５から通知される受信データレートに応じた伸長処理を施した後、ビタビ復号等を用いた復号処理と誤り訂正復号処理を行って、ベースバンドの受信データを再生する。
【００１９】
ＰＣＭ符号処理部８は、制御部５で判別された通信の種別（音声通信或いはデータ通信）に応じて異なる信号処理を行う。
【００２０】
具体的には、音声通信時には、ＰＣＭ符号処理部８は、符号処理部７から供給された受信データをＰＣＭ復号処理してアナログ受話信号を出力する。このアナログ受話信号は、受話増幅器９にて増幅された後スピーカ部１０を介して発音される。
【００２１】
また、データ通信時には、ＰＣＭ符号処理部８は、符号処理部７から供給された受信データを制御部５に供給する。制御部５は、上記受信データをメモリ１１（ＲＡＭ）に格納する。また必要に応じて、上記受信データを図示しない外部インタフェースを介してＰＤＡ装置（PDA:Personal Digital Assistance）やノート型パーソナル・コンピュータへ出力する。
【００２２】
次に、送信時において、音声通信時における話者の送話音声は、マイクロホン部１２で集音され、送話増幅器１３で適正レベルまで増幅される。そして、ＰＣＭ符号処理部８でＰＣＭ符号化処理が施された後、送信データとして符号処理部７に供給される。
【００２３】
符号処理部７は、この音声通信時には、ＰＣＭ符号処理部８から供給された送信データに基づいて、入力音声のエネルギー量を検出し、この検出結果に基づいてデータレートを決定する。そして、上記送信データを上記データレートに応じたフォーマットのバースト信号に圧縮し、さらに誤り訂正符号化処理を施したのちＣＤＭＡ信号処理部６に供給する。
【００２４】
また、ＰＤＡ装置やノート型パーソナル・コンピュータから出力されたデータ、或いはデジタルカメラ装置から供給された画像データは、外部インタフェースを介して制御部５に供給され、制御部５からＰＣＭ符号処理部８を介して符号処理部７に供給される。さらに、電子メール（携帯メール）のデータ等も制御部５に供給され、この制御部５からＰＣＭ符号処理部８を介して符号処理部７に供給される。
【００２５】
符号処理部７は、このデータ通信時には、ＰＣＭ符号処理部８から供給された上記送信データを、予め設定されたデータレートに応じたフォーマットのバースト信号に圧縮し、さらに誤り訂正符号化処理を施してＣＤＭＡ信号処理部６に供給する。
【００２６】
なお、上記音声通信時及び上記データ通信時のいずれのデータレートも、送信データレートとして制御部５に通知される。
【００２７】
ＣＤＭＡ信号処理部６は、符号処理部７で圧縮されたバースト信号に対して、送信チャネルに割り当てられたＰＮ符号を用いて拡散処理を施す。そしてこの拡散符号化された送信信号に対して直交変調処理を行い、この直交変調信号を送信回路１４（ＴＸ）に供給する。
【００２８】
送信回路１４は、上記直交変調信号を周波数シンセサイザ４から供給された送信局部発振信号とミキシング処理して無線周波信号に変換する。そして、送信回路１４は、制御部５から通知された送信データレートに基づいて、上記無線周波信号の有効部分だけを高周波増幅し、送信無線周波信号として出力する。この送信回路１４から出力された送信無線周波信号は、アンテナ共用器２を介してアンテナ１に供給され、このアンテナ１から上記基地局へ向けてバースト送信される。
【００２９】
ここで、この携帯電話機には、ユーザが当該携帯電話機の操作に迷った際、操作部に設けられているヘルプキー１５を操作することで、そのユーザの習熟度に対応するガイド情報（ヘルプ情報）が表示部１６に表示されるようになっている。
【００３０】
詳しくは後述するが、当該携帯電話機のＲＯＭ１８には、各ヘルプ項目と各設定メニューの関連度を示すヘルプ項目テーブル、ユーザの習熟度に対応するヘルプ情報、操作履歴（各機能の使用履歴，操作キャンセルの履歴、ヘルプ情報を使用した機能の履歴等）が記憶されている。
【００３１】
当該携帯電話機の上記制御部５は、現在の画面状況，所操作履歴及びタイマ１７からの計時情報に基づいて計測するユーザの入力間隔等に基づいて、当該携帯電話機の操作におけるユーザの習熟度を検出し、この習熟度に対応するヘルプ情報を選択して表示部１６に表示する。また、このヘルプ情報を表示してから所定時間、何ら入力操作がなされない場合、該表示したヘルプ情報では、操作の理解が困難となっているものと判断し、先に表示した習熟度のヘルプ情報よりも下位の習熟度のヘルプ情報（より簡単なヘルプ情報）を表示制御するようになっている。
【００３２】
［ヘルプ情報の表示動作］
図２及び図３のフローチャートに、ユーザの習熟度に対応するヘルプ情報が表示されるまでの流れと、先に表示した習熟度のヘルプ情報よりも下位の習熟度のヘルプ情報が表示されるまでの流れを示す。なお、この図２及び図３のフローチャートは一連の流れを示しており、図２のフローチャートのステップＳ５の処理が終了すると、図３のフローチャートのステップＳ６へ処理が移行するものと理解されたい。
【００３３】
ユーザは、当該携帯電話機を操作していて操作が分からなくなった場合、操作部に設けられているヘルプボタン１５を押圧操作する。図２のステップＳ１では、制御部５が、このヘルプボタン１５が押圧操作されたか否かを判別しており、ヘルプボタン１５の押圧操作を検出したタイミングでヘルプ情報の表示モードに移行し、処理をステップＳ２に進める。
【００３４】
なお、この例では、ヘルプボタン１５が押圧操作されたことをトリガとしてヘルプ情報の表示モードに移行することとしたが、カーソルの移動操作や文字等の入力操作が一定時間以上停止したことをトリガとしてヘルプ情報の表示モードに移行してもよい。
【００３５】
次に、ヘルプ情報の表示モードに移行すると、制御部５は、ステップＳ２において、現在の画面状況を検出する。この現在の画面状況の検出は、制御部５が、現在、表示部６に表示している情報に基づいて検出する。例えば、ユーザにより、着信音や効果音等の設定を行う音設定画面の表示が指定された場合、制御部５は、着信音や効果音等の各項目を表示部１６に表示制御する。制御部５は、このように、現在、表示している情報に基づいて、現在の画面状況を検出する。
【００３６】
次に、制御部５は、ステップＳ３において、ユーザが当該携帯電話機を操作することで蓄積された過去の操作履歴を検出する。具体的には、ＲＡＭ１１には、上記操作履歴として、着信音設定や待ち受け画面設定等の、使用された機能を示す「使用履歴」、誤って起動が指定された後に、該起動がキャンセルされた機能を示す履歴（キャンセル履歴）、及び使用された（表示された）ヘルプ情報の履歴等の各履歴が記憶されるようになっている。
【００３７】
すなわち、ＲＡＭ１１には、各機能毎に、使用の有無を示す情報（使用履歴）の記憶領域が設けられている。これら各記憶領域には、その機能が未使用である場合は「０」が記憶されているのであるが、その機能の使用が検出されると、制御部５により「１」が記憶されるようになっている。これにより、ユーザにより様々な機能が使用されることで、上記「１」が記憶された記憶領域が増えることとなる。従って、この「１」が記憶された記憶領域の数や機能の種別等を、習熟度の判定材料として用いることができる。
【００３８】
なお、この例では、各機能の記憶領域に対して、その機能の使用の有無を示す「１」，「０」の情報を記憶することとしたが、これは、各機能が使用される毎に、その機能の記憶領域に対して所定の数値を加算して記憶するようにしてもよい。この場合、その機能が使用される毎に、対応する記憶領域に記憶される数値が徐々に大きな値となる。このため、各機能毎に、その機能が使用された回数等を検出することができる。
【００３９】
また、ＲＡＭ１１には、各機能毎に、起動の指定後における起動キャンセル操作の有無を示す情報（キャンセル履歴）の記憶領域が設けられている。これら各記憶領域には、その機能に対してキャンセル操作がなされていない場合は「０」が記憶されているのであるが、その機能のキャンセル操作が検出されると、制御部５により「１」が記憶されるようになっている。これにより、ユーザによりキャンセル操作がなされる毎に、上記「１」が記憶された記憶領域が増えることとなる。従って、この「１」が記憶された記憶領域の数や機能の種別等を、習熟度の判定材料として用いることができる。
【００４０】
なお、この例では、各機能の記憶領域に対して、その機能のキャンセル操作の有無を示す「１」，「０」の情報を記憶することとしたが、これは、キャンセル操作がなされる毎に、そのキャンセル操作がなされた機能の記憶領域に対して所定の数値を加算して記憶するようにしてもよい。この場合、その機能の使用がキャンセルされる毎に、対応する記憶領域に記憶される数値が徐々に大きな値となる。このため、各機能毎に、その機能の使用がキャンセルされた回数等を検出することができる。
【００４１】
また、ＲＡＭ１１には、各機能毎に、ヘルプ情報の使用（表示）の有無を示す情報（ヘルプ表示履歴）の記憶領域が設けられている。これら各記憶領域には、その機能に対してヘルプ情報の表示がなされていない場合は「０」が記憶されているのであるが、その機能のヘルプ情報が表示されると、制御部５により「１」が記憶されるようになっている。これにより、ユーザによりヘルプ情報の表示操作がなされる毎に、上記「１」が記憶された記憶領域が増えることとなる。従って、この「１」が記憶された記憶領域の数や機能の種別等は、習熟度の判定材料として用いることができる。
【００４２】
なお、この例では、各機能の記憶領域に対して、その機能のヘルプ情報の表示の有無を示す「１」，「０」の情報を記憶することとしたが、これは、ヘルプ情報の表示操作がなされる毎に、その表示が指定されたヘルプ情報に対応する機能の記憶領域に対して所定の数値を加算して記憶するようにしてもよい。この場合、ヘルプ情報が表示される毎に、対応する記憶領域に記憶される数値が徐々に大きな値となる。このため、ヘルプ情報の表示指定の多い機能や、各機能毎のヘルプ情報の表示指定回数等を検出することができる。
【００４３】
次に、制御部５は、ステップＳ４において、このヘルプボタン１５が押圧操作されるまでになされた、入力操作から次の入力操作がなされるまでの時間である入力間隔を検出する。具体的には、制御部５は、タイマ１７からの計時情報に基づいて、ユーザの入力間隔を常時検出してＲＡＭ１１に記憶しており、ヘルプボタン１５の押圧操作を検出すると、ヘルプボタン１５が押圧操作される例えば１０数秒前からヘルプボタン１５が押圧操作されるまでの間の各入力間隔をＲＡＭ１１から読み出し、これらの平均入力間隔を算出する。
【００４４】
機器操作におけるユーザの習熟度が高い場合、操作速度が速くなるため、入力間隔も短くなる。反対に、機器操作におけるユーザの習熟度が低い場合、操作速度が遅くなるため、入力間隔も長くなる。このため、このような入力間隔は、習熟度の判定材料として用いることができる。
【００４５】
次に、制御部５は、ステップＳ５において、上記ステップＳ３で検出した操作履歴、及び上記ステップＳ４で検出した入力間隔に基づいて、当該携帯電話機に対するユーザの機器操作の習熟度を総合的に判定する。例えば、ユーザにより多くの機能が操作されており、入力間隔が短い場合、そのユーザは、当該携帯電話機の操作に関して高い習熟度を有するものと判定される。反対に、ユーザにより操作された機能が少なく、入力間隔も長い場合、そのユーザは、当該携帯電話機の操作に関して低い習熟度を有するものと判定される。
【００４６】
次に、このようにユーザの習熟度を判定すると、制御部５は、図３のフローチャートのステップＳ６において、そのユーザの習熟度は上級であるか否かを判別する。ＲＡＭ１１には、例えば着信音設定における上級用のヘルプ情報，着信音設定における中級用のヘルプ情報及び着信音設定における初級用のヘルプ情報、効果音設定における上級用のヘルプ情報，効果音設定における中級用のヘルプ情報及び効果音設定における初級用のヘルプ情報・・・・等のように、各項目のヘルプ情報が、上級用，中級用及び初級用に分別され、階層的に記憶されている。
【００４７】
このため、制御部５は、ユーザの習熟度が上級である場合、ステップＳ７において、ＲＡＭ１１から上級用のヘルプ情報を読み出し、これを表示部１６に表示制御する。また、ユーザの習熟度が上級ではない場合、制御部５は、ステップＳ８において、ユーザの習熟度が中級であるか否かを判別する。そして、ユーザの習熟度が中級である場合、ステップＳ９において、ＲＡＭ１１から中級用のヘルプ情報を読み出し、これを表示部１６に表示制御する。また、ユーザの習熟度が上級或いは中級ではない場合、制御部５は、ステップＳ１０において、ＲＡＭ１１から初級用のヘルプ情報を読み出し、これを表示部１６に表示制御する。これにより、ユーザの習熟度に応じたヘルプ情報を表示することができる。
【００４８】
〔表示動作の具体例〕
以下、このようなユーザの習熟度に応じたヘルプ情報の表示動作を具体的に説明する。
【００４９】
（ヘルプ項目テーブル）
まず、ＲＯＭ１８には、図４に示すようなヘルプ項目テーブルが記憶されている。このヘルプ項目テーブルは、設定時に表示される各設定項目と各設定項目に対応するヘルプ情報との関連度を数値で示したテーブルとなっている。
【００５０】
例えば、「音設定」という大項目の中には「着信音設定」，「効果音設定」，「ボタン音設定」，「イヤホン設定」の各設定メニューが存在する。
【００５１】
「着信音設定」の設定メニューに対する関連度は、「着信音設定用のヘルプ情報」の関連度が一番高く、続いて「効果音設定用のヘルプ情報」、「ボタン音設定用のヘルプ情報」、「イヤホン設定用のヘルプ情報」の順に関連度が低くなる。このため、「着信音設定」の設定メニューに対する関連度は、「着信音設定用のヘルプ情報」が「５」、「効果音設定用のヘルプ情報」が「４」、「ボタン音設定用のヘルプ情報」が「３」、「イヤホン設定用のヘルプ情報」が「１」となっている（関連度は「５」が最高値で「０」が最低値）。
【００５２】
同様に、「ボタン音設定」の設定メニューに対する関連度は、「着信音設定用のヘルプ情報」が「３」、「効果音設定用のヘルプ情報」が「４」、「ボタン音設定用のヘルプ情報」が「５」、「イヤホン設定用のヘルプ情報」が「１」となっている。
【００５３】
なお、「待受画面設定用のヘルプ情報」、「照明設定用のヘルプ情報」、及び「文字サイズ設定用のヘルプ情報」は、「着信音設定」の設定メニューに対する関連度は無いため、該関連度としては「０」となっている。
【００５４】
これに対して、「画面設定」という大項目の中には「待受画面設定」，「照明設定」，「文字サイズ設定」の各設定メニューが存在する。
【００５５】
「待受画面設定」の設定メニューに対する関連度は、「待受画面設定用のヘルプ情報」の関連度が一番高く、続いて「照明設定用のヘルプ情報」、「文字サイズ設定用のヘルプ情報」の順に関連度が低くなる。このため、「待受画面設定」の設定メニューに対する関連度は、「待受画面設定用のヘルプ情報」が「５」、「照明設定用のヘルプ情報」が「３」、「文字サイズ設定用のヘルプ情報」が「２」となっている。
【００５６】
同様に、「文字サイズ設定」の設定メニューに対する関連度は、「待受画面設定用のヘルプ情報」が「２」、「照明設定用のヘルプ情報」が「２」、「文字サイズ設定用のヘルプ情報」が「５」となっている。
【００５７】
なお、「着信音設定のヘルプ情報」，「効果音設定のヘルプ情報」，「ボタン音設定のヘルプ情報」，「イヤホン設定のヘルプ情報」は、「待受画面設定」の設定メニューに対する関連度は無いため、該関連度としては「０」となっている。
【００５８】
（表示するヘルプ情報の選択）
制御部５は、上記ステップＳ２において、カーソルで、現在、ポイントされている設定メニューを検出し、この現在、ポイントされている設定メニュー、及び直前にポイントされた設定メニューに基づいて、表示を行うヘルプ情報を決定する。
【００５９】
具体的には、制御部５は、タイマ１７からの計時情報に基づいて、カーソルによりポイントされた設定メニューのポイント時間を監視しており、所定時間以上（例えば３秒以上）継続してポイントされていた設定メニューの設定メニュー名を、順次ＲＡＭ１１に記憶するようになっている。
【００６０】
現在、「効果音設定」の設定メニューがカーソルによりポイントされていたとすると、制御部５は、この「効果音設定」の設定メニューに対して「１」以上の関連度を有するヘルプ項目を選択し、各ヘルプ項目の関連度をＲＯＭ１８から読み出し、これらをＲＡＭ１１に書き込む（関連度が「０」のヘルプ項目は除外する。）。
【００６１】
また、制御部５は、「効果音設定」の設定メニューがポイントされる直前にポイントされていた設定メニュー（上記所定時間以上ポイントされていた設定メニュー）を、ＲＡＭ１１に記憶されている上記設定メニュー名に基づいて検出する。例えば、この直前にポイントされていた設定メニューが「ボタン音設定」の設定メニューであった場合、制御部５は、この「ボタン音設定」の設定メニューに対して「１」以上の関連度を有するヘルプ項目を選択し、各ヘルプ項目の関連度をＲＯＭ１８から読み出し、これらをＲＡＭ１１に書き込む（前述と同様に、関連度が「０」のヘルプ項目は除外する。）。
【００６２】
図５に、ＲＡＭ１１に書き込まれた、「効果音設定」の設定メニューに対して「１」以上の関連度を有するヘルプ項目と各ヘルプ項目の関連度、及び「ボタン音設定」の設定メニューに対して「１」以上の関連度を有するヘルプ項目と各ヘルプ項目の関連度を示す。なお、この図５において、上記「効果音設定」の設定メニュー及び「ボタン音設定」の設定メニューに対して関連度が「０」である、「待受画面設定用のヘルプ情報」，「照明設定用のヘルプ情報」及び「文字サイズ用のヘルプ情報」のヘルプ項目及び関連度が図示されているが、これら関連度が「０」のヘルプ項目の読み出しは行われないものと理解されたい。
【００６３】
（関連度の重み付け処理）
ここで、図４に示すように「効果音設定」の設定メニューに対する各ヘルプ情報の関連度は、「着信音設定用のヘルプ情報」が「４」、「効果音設定用のヘルプ情報」が「５」、「ボタン音設定用のヘルプ情報」が「４」、「イヤホン設定用のヘルプ情報」が「１」となっている。このため、ＲＡＭ１１に書き込まれる「効果音設定」の設定メニューに対する各ヘルプ情報の関連度は、図５中、カッコ書で示すように、それぞれ「４」、「５」、「４」、「１」となるのであるが、制御部５は、現在、ポイントされている設定メニューに対応する各関連度は、数値を例えば２倍にする重み付け処理を行い、ＲＡＭ１１に書き込む。このため、ＲＡＭ１１に書き込まれる「効果音設定」の設定メニューに対する各ヘルプ情報の関連度は、順に「８」、「１０」、「８」、「２」としてＲＡＭ１１に書き込まれることとなる。
【００６４】
（各関連度の加算処理）
次に、このようにＲＡＭ１１に対して、「効果音設定」の設定メニューに対する各ヘルプ情報の関連度（＝現在、ポイントされている設定メニューに対応する各関連度）、及び「ボタン音設定」の設定メニューに対する各ヘルプ情報の関連度（現在、ポイントされている設定メニューの直前にポイントされていた設定メニューに対応する各関連度）を書き込むと、制御部５は、各ヘルプ情報毎に、対応する両者の関連度を加算処理する。
【００６５】
例えば、「効果音設定」の設定メニューに対する「着信音設定用のヘルプ情報」の関連度は「８」、「ボタン音設定」の設定メニューに対する「着信音設定用のヘルプ情報」の関連度は「３」である。このため、制御部５は、この「着信音設定用のヘルプ情報」に対応する両者の関連度を加算処理することで「１１（８＋３）」の関連度の数値を算出する。同様に、「効果音設定」の設定メニューに対する「効果音設定用のヘルプ情報」の関連度は「１０」、「ボタン音設定」の設定メニューに対する「効果音設定用のヘルプ情報」の関連度は「４」である。このため、制御部５は、この「効果音設定用のヘルプ情報」に対応する両者の関連度を加算処理することで「１４（１０＋４）」の関連度の数値を算出する。同様に、「効果音設定」の設定メニューに対する「ボタン音設定用のヘルプ情報」の関連度は「８」、「ボタン音設定」の設定メニューに対する「ボタン音設定用のヘルプ情報」の関連度は「５」である。このため、制御部５は、この「ボタン音設定用のヘルプ情報」に対応する両者の関連度を加算処理することで「１３（８＋５）」の関連度の数値を算出する。
【００６６】
そして、制御部５は、このような加算処理により、最大値の関連度が算出されたヘルプ情報を、表示すべきヘルプ情報として決定する。この例の場合、図５に示すように効果音設定用のヘルプ情報が「１４」の関連度の値を示しており、これが最大値となる。このため、効果音設定用のヘルプ情報が、表示すべきヘルプ情報として決定されることとなる。
【００６７】
このように、現在、ポイントされている設定メニューに対応する各関連度の数値、及び過去（この例の場合は「直前」）にポイントされていた設定メニューの数値を加算処理し、この加算結果に基づいて、表示すべきヘルプ情報を決定することにより、ユーザが求めているヘルプ情報の判定精度の向上を図ることができる。
【００６８】
なお、この例では、現在、ポイントされている設定メニューに対応する各関連度の数値を２倍の数値に重み付け処理することとしたが、これは、現在、ポイントされている設定メニューの直前にポイントされていた設定メニュー（この例の場合は、「ボタン音設定」の設定メニュー）の数値を１／２倍の数値としてもよい。
【００６９】
また、ＲＡＭ１１に対して、現在、ポイントされている設定メニューに対応する各関連度、及び現在、ポイントされている設定メニューの直前にポイントされていた設定メニューの関連度を書き込むこととしたが、これは、ポイントされていた順に３つ以上の設定メニューの関連度をＲＡＭ１１に書き込み、各設定メニューの関連度に対して、時間的に古いものから現在、ポイントされている設定メニューにかけて、順に重み付けの度合いを徐々に重くしてもよい。
【００７０】
（習熟度に対応したヘルプ情報の表示）
次に、ＲＯＭ１８には、図６に示すように各習熟度毎のヘルプ情報が、各設定メニュー毎に記憶されている。この図６においては、初級の習熟度を「０」、最上級の習熟度を「６」として示している。また、各習熟度に応じて表示される各設定メニューのヘルプ情報を、「Ａ−１〜Ａ−３」等のように示している。
【００７１】
具体的には、表示すべきヘルプ情報として「着信音設定用のヘルプ情報」が決定された場合、習熟度が「０」〜「２」のユーザに対しては「Ａ−１（「Ａ」は着信音設定用のヘルプ情報を示し、「１」は最も詳細な初級用のヘルプ情報を示す。）」の内容のヘルプ情報が表示される。また、表示すべきヘルプ情報として「着信音設定用のヘルプ情報」が決定された場合、習熟度が「３」〜「４」のユーザに対しては「Ａ−２（「２」は中級用のヘルプ情報を示す。）」の内容のヘルプ情報が表示される。また、表示すべきヘルプ情報として「着信音設定用のヘルプ情報」が決定された場合、習熟度が「５」〜「６」のユーザに対しては「Ａ−３（「３」は上級用のヘルプ情報を示す。）」の内容のヘルプ情報が表示される。
【００７２】
また、表示すべきヘルプ情報として「イヤホン設定用のヘルプ情報」が決定された場合、習熟度が「０」〜「２」のユーザに対しては「Ｄ−１（「Ｄ」はイヤホン設定用のヘルプ情報を示す。）」の内容のヘルプ情報が表示される。また、表示すべきヘルプ情報として「イヤホン設定用のヘルプ情報」が決定された場合、習熟度が「３」〜「６」のユーザに対しては「Ｄ−２」の内容のヘルプ情報が表示される。なお、この「イヤホン設定用のヘルプ情報」としては、「Ｄ−１」及び「Ｄ−２」の２種類のヘルプ情報のみであるが、必ずしも上級用，中級用，低級用の３種類のヘルプ情報が存在するわけではなく、このように２種類のヘルプ情報のみ設けられている場合もある。或いは、上級用，中級用，低級用の３種類のヘルプ情報のみならず、例えば上級と中級の間の等級のヘルプ情報、及び中級と低級の間の等級のヘルプ情報を加えた計５種類のヘルプ情報が存在する場合もある。
【００７３】
制御部５は、前述のように、表示すべきヘルプ情報を決定すると、ステップＳ６〜ステップＳ１０で判別したユーザの習熟度に対応するヘルプ情報を、ＲＯＭ１８から読み出し、これを表示部１６に表示制御する。具体的には、前述の例の場合、表示すべきヘルプ情報として「効果音設定用のヘルプ情報」が決定されている。このため、制御部５は、図６に示すように、ユーザの習熟度が「０」であった場合には「Ｂ−１」のヘルプ情報を、ユーザの習熟度が「１」〜「５」であった場合には「Ｂ−２」のヘルプ情報を、ユーザの習熟度が「６」であった場合には「Ｂ−３」のヘルプ情報を、ＲＯＭ１８から読み出し、これを表示部１６に表示制御する。これにより、ユーザが希望するヘルプ情報を予測したうえで、そのユーザの習熟度に対応する内容のヘルプ情報を表示することができる。
【００７４】
とができる。また、ユーザが、真に表示を希望するヘルプ情報を表示することができる。  （ヘルプ情報の選択表示）
ここで、以上の説明では、上記加算処理の結果に基づいて、表示すべきヘルプ情報を決定することとしたが、これは、いくつかのヘルプ情報の中から所望のヘルプ情報をユーザに選択させるようにしてもよい。
【００７５】
この場合、制御部５は、上記加算処理の結果の数値が大きい順に、いくつかのヘルプ情報を選択し、この各ヘルプ情報の選択項目を、カーソルと共に表示部１６に表示制御し、該カーソル操作でユーザにより選択されたヘルプ情報のうち、上記ユーザの習熟度に応じた内容のヘルプ情報を表示部１６に表示制御する。
【００７６】
例えば、図５に示した例で説明すると、この例の場合、効果音設定用ヘルプ情報の数値は「１４」で最大値である。続いて、ボタン音設定用ヘルプ情報の数値は「１３」で２番目に大きな数値である。さらに、着信音設定用ヘルプ情報の数値は「１１」で３番目に大きな数値であり、イヤホン設定用ヘルプ情報の数値は「３」で４番目に大きな数値である。このため、制御部５は、効果音設定用ヘルプ情報，ボタン音設定用ヘルプ情報，着信音設定用ヘルプ情報，イヤホン設定用ヘルプ情報を選択し、これら各ヘルプ情報の選択項目を、カーソルと共に表示部１６に表示制御する。
【００７７】
ユーザは、これら各選択項目に基づいて、上記カーソル操作により、表示を希望するヘルプ情報の項目を選択する。制御部５は、このようにユーザにより選択されたヘルプ情報のうち、上記ユーザの習熟度に応じた内容のヘルプ情報を表示部１６に表示制御する。
【００７８】
これにより、ユーザが表示を希望する確立が高い順に、ヘルプ情報の項目を表示部１６に表示することができ、また、その中から選択されたヘルプ情報を表示することができる。このため、ユーザが所望のヘルプ情報を選択するまでの時間を短くすることができる。
【００７９】
〔ヘルプ情報の変更表示〕
次に、表示されたヘルプ情報の等級（上級用，中級用又は初級用）が、そのユーザの習熟度に合った等級であった場合、そのユーザは、表示されたヘルプ情報から操作手順を理解することができ、一定時間内に、何らかの入力操作がなされるはずである。反対に、表示されたヘルプ情報のレベルが、そのユーザの習熟度に合ったレベルではない場合、そのユーザは、表示されたヘルプ情報から操作を理解することができないため、次の入力操作を行うまでに時間を要する。
【００８０】
このため、制御部５は、前述のようにヘルプ情報の表示を行うと、この表示を行ったタイミングから経過した時間を、タイマ１７からの計時情報に基づいてカウントする。そして、制御部５は、図３のフローチャートのステップＳ１１において、一定時間内にユーザからの入力操作がなされたか否かを判別する。
【００８１】
一定時間内にユーザからの入力操作を検出した場合、制御部５は、ステップＳ１３において、その入力操作に応じた表示制御処理を行う。
【００８２】
これに対して、一定時間内にユーザからの入力操作を検出しなかった場合、制御部５は、ステップＳ１２において、現在表示しているヘルプ情報の等級よりも、低い等級のヘルプ情報を、上記ＲＯＭ１８から読み出し、該現在表示している等級のヘルプ情報に代えて、この低い等級のヘルプ情報を表示部１６に表示制御する。これにより、当該図２及び図３のフローチャートの各ルーチンの実行が終了する。
【００８３】
具体的には、前述のように判定されたユーザの習熟度が「５」であったため、図６に示す「Ａ−３」の着信音設定用のヘルプ情報を表示したのであるが、上記一定時間内にユーザからの入力操作を検出しなかった場合、制御部５は、この表示しているヘルプ情報の等級を下げ、「Ａ−２」の着信音設定用のヘルプ情報を表示部１６に表示する。これにより、操作に迷っているユーザに対して、より詳細な内容のヘルプ情報を提供することができ、ユーザの操作をガイドすることができる。
【００８４】
なお、この例では、一定時間内に所定の入力操作がなされない場合、制御部５が、表示するヘルプ情報の等級を１つ下げて表示することとしたが、これは、等級を２つ以上下げてヘルプ情報の表示を行うようにしてもよい。
【００８５】
また、この例では、一定時間内に所定の入力操作がなされない場合、制御部５が、表示するヘルプ情報の等級を１つ下げて表示することとしたが、これは、等級を２つ以上下げてヘルプ情報を表示するようにしてもよい。
【００８６】
［実施の形態の効果］
以上の説明から明らかなように、当該実施の形態の携帯電話機は、各機能と各ヘルプ情報との関連度を示す値がそれぞれ記憶されたヘルプ項目テーブルを設け、ヘルプ情報を表示する際に、現在選択されている機能に対応する上記各ヘルプ情報の関連度を示す値と、ユーザが過去に選択した機能に対応する上記各ヘルプ情報の関連度を示す値をそれぞれヘルプ項目テーブルを読み出す。
【００８７】
そして、現在選択されている機能に対応する各ヘルプ情報の関連度を示す値と、ユーザが過去に選択した機能に対応する各ヘルプ情報の関連度を示す値とを、それぞれ各ヘルプ情報毎に加算し、この加算結果に基づいて、表示すべきヘルプ情報を決定する。
【００８８】
これにより、現在及び過去の操作に基づく総合的な判断に基づいて、表示するヘルプ情報を決定することができるため、ユーザが真に表示を希望するヘルプ情報を精度良く判断して表示することができる。
【００８９】
また、当該実施の形態の携帯電話機は、習熟度に応じて階層的に記憶されたヘルプ情報のうち、ユーザの習熟度に対応する階層（等級）のヘルプ情報を表示することができる。
【００９０】
また、ヘルプ情報の表示を行ってから所定の入力操作がなされるまでの時間を検出することで、表示した等級のヘルプ情報の適否を自動的に判別して、表示したヘルプ情報の等級が不適当と判断した場合に、よりわかり易い下位の等級のヘルプ情報を表示し直すことができる。このため、ユーザの習熟度に合った、より分かり易い内容のヘルプ情報を提供することができる。
【００９１】
［本発明の他の適用例］
なお、上述の各実施の形態の説明では、本発明を携帯電話機に適用することとしたが、本発明は、この他、ＰＤＡ装置やパーソナルコンピュータ装置等の他の端末装置に適用してもよい。
【００９２】
最後に、上述した本発明を実施するための最良の形態は、本発明の一例として理解されたい。すなわち、本発明は、一例として掲げた上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【００９３】
【図１】本発明を適用した実施の形態となる携帯電話機のブロック図である。
【図２】上記実施の形態となる携帯電話機のヘルプ情報の表示モードにおける、該ヘルプ情報の表示動作の流れを示すフローチャートである。
【図３】上記図２のフローチャートの続きとなる、上記ヘルプ情報の表示動作の流れを示すフローチャートである。
【図４】上記実施の形態となる携帯電話機のＲＯＭに記憶されているヘルプ項目テーブルを示す図である。
【図５】上記ヘルプ項目テーブルに記憶されている関連値の重み付け処理を説明するための図である。
【図６】上記実施の形態となる携帯電話機のＲＯＭに、ユーザの習熟度に対応して階層的に記憶されているヘルプ情報を説明するための図である。
【符号の説明】
【００９４】
１  アンテナ、２  アンテナ共用器（ＤＵＰ）、３  受信回路（ＲＸ）、４  周波数シンセサイザ（ＳＹＮ）、５  制御部、６  ＣＤＭＡ信号処理部、７  符号処理部、８  ＰＣＭ符号処理部、９  受話増幅器、１０  スピーカ部、１１  ＲＡＭ、１２  マイクロホン部、１３  送話増幅器、１４  送信回路（ＴＸ）、１５  ヘルプキー、１６  表示部、１７  タイマ、１８  ＲＯＭ
【図１】
2005165944.tif 000003
【図２】
2005165944.tif 000004
【図３】
2005165944.tif 000005
【図４】
2005165944.tif 000006
【図５】
2005165944.tif 000007
【図６】
2005165944.tif 000008